(57)【要約】【課題】カウンターをキャビネットに固定するための部品点数を少なくし、簡単な作業でカウンターを固定することできるカウンターの固定構造を提供すること。【解決手段】この固定構造では、キャビネット２０の受け具２４に設けられる一対の係合片２４ａに、カウンター１０の側壁部１２に突設されるリブ１３ａを上方から挿入し、リブ１３ａを一対の係合片２４ａで挟持することによりカウンター１０をキャビネット２０に固定する。【選択図】図８
2014188197.tif 000002
【特許請求の範囲】
【請求項１】
キャビネットと、前記キャビネットの上に載置される樹脂製のカウンターと、を固定するカウンターの固定構造において、
前記カウンターは、前記キャビネットの上を覆うように天面を上にして配置される天板部と、前記天板部の外縁を構成する辺から前記天面とは反対側に向けて第１方向に延びる少なくとも一対の側壁部と、前記一対の側壁部において一方の内面側から他方の内面側に突出すると共に前記第１方向に延びるように形成されたリブと、を有し、
前記キャビネットは、その上部に前記カウンターを取り付けるための受け具が設けられており、
前記受け具は、前記リブの厚みよりも狭い間隔をあけて設けられる一対の係合片を有し、
前記一対の係合片の間に前記リブを前記キャビネットの上側から挿入し、前記リブを前記一対の係合片で挟持することにより前記カウンターを前記キャビネットに固定することを特徴とするカウンターの固定構造。
【請求項２】
前記一対の係合片は、互いに対向する先端に前記リブを押さえるための先細な保持部を有することを特徴とする請求項１に記載のカウンターの固定構造。
【請求項３】
前記受け具は、前記一対の係合片の前記キャビネット上側に対応する上面に、前記リブを前記一対の係合片の間に誘導するガイド面を有することを特徴とする請求項１又は２に記載のカウンターの固定構造。
【請求項４】
前記受け具は金属製であり、
前記一対の係合片は、互いに対向する前記保持部から離隔しながら上昇するように延び、前記保持部とは反対側の端部において支持される撓み部を有し、
前記撓み部は、前記リブの挿入によって撓み、前記保持部を前記リブに向けて付勢することを特徴とする請求項３に記載のカウンターの固定構造。
【請求項５】
前記受け具は、前記一対の係合片を前記キャビネットの上端から上方に突出させるように設けられており、
前記側壁部の前記天面とは反対側の端部は、前記キャビネットの上端に当接されて固定されることを特徴とする請求項１に記載のカウンターの固定構造。
【請求項６】
前記側壁部の端部が前記キャビネットの上端に当接され、かつ、前記リブが前記一対の係合片で挟持された状態で、前記一対の係合片は、前記側壁部の内面側に接することを特徴とする請求項５に記載のカウンターの固定構造。
【発明の詳細な説明】
【技術分野】
【０００１】
本発明は、キャビネットと、そのキャビネットの上に載置される樹脂製のカウンターと、を固定するカウンターの固定構造に関する。
【背景技術】
【０００２】
従来、キャビネットとキャビネットの上部に載置されるカウンターとを固定するカウンターの固定構造として、下記特許文献１に記載されたものが提案されている。下記特許文献１に記載されたカウンターの固定構造では、キャビネットの側面にＬ字状の部材がねじ孔を挿通するねじを用いて取付けられ、カウンターの下面に基板が固着されている。そして、この基板から垂下してＬ字状の部材に設けられた貫通孔に挿通されるねじ棒と、この挿通されたねじ棒に下方から螺合して締め付けられたナットとを有している。カウンターとキャビネットとをこのようにねじ固定することで、カウンターをキャビネットに大きな力で引き寄せることができ、強固に一体化させることができる。
【先行技術文献】
【特許文献】
【０００３】
【特許文献１】特開２００７−２２２４６０号公報
【発明の概要】
【発明が解決しようとする課題】
【０００４】
ところで、上記特許文献１に記載されたカウンターの固定構造によれば、キャビネットの側面にねじを用いて固定していることに加えて、カウンターの下面においても、ねじ棒やナット等の固定部品を用いて固定している。このため、カウンターとキャビネットの双方に固定部品を用いることとなり部材費用がかかってしまうという問題がある。また、カウンターの反りを矯正した状態でキャビネットに固定するために、カウンターの下面に位置するねじ棒に、ナットを締め付ける必要があるが、作業者がカウンターの下方に移動して上を向いた状態でナットの締め付け作業を行わなければならないので、作業性が悪かったという問題があった。
【０００５】
本発明はこのような課題に鑑みてなされたものであり、その目的は、カウンターをキャビネットに固定する場合に、部品点数を削減し、かつ、簡単な作業でカウンターを固定することができるカウンターの固定構造を提供することにある。
【課題を解決するための手段】
【０００６】
上記課題を解決するために本発明に係るカウンターの固定構造は、キャビネットと、前記キャビネットの上に載置される樹脂製のカウンターと、を固定するカウンターの固定構造であって、前記カウンターは、前記キャビネットの上を覆うように天面を上にして配置される天板部と、前記天板部の外縁を構成する辺から前記天面とは反対側に向けて第１方向に延びる少なくとも一対の側壁部と、前記一対の側壁部において一方の内面側から他方の内面側に突出すると共に前記第１方向に延びるように形成されたリブと、を有し、前記キャビネットは、その上部に前記カウンターを取り付けるための受け具が設けられている。前記受け具は、前記リブの厚みよりも狭い間隔をあけて設けられる一対の係合片を有し、前記一対の係合片の間に前記リブを前記キャビネットの上側から挿入し、前記リブを前記一対の係合片で挟持することにより前記カウンターを前記キャビネットに固定することができる。
【０００７】
本発明に係るカウンターの固定構造では、リブの厚みよりも狭い間隔をあけて設けられる一対の係合片を有する受け具をキャビネットの上部に設け、キャビネットの上にカウンターを載置することのみで、カウンターに設けられたリブを一対の係合片の間に挟み込むことができる。このため、カウンターをキャビネットに上方から押し付ける作業だけでカウンターをキャビネットに固定することができるので、ねじやナットを用いた締付作業が不要となる。その結果、作業者はカウンターの下方に移動して上を向いた状態でナットの締付作業をする必要がなくなるので、カウンターの固定作業を容易に行うことができる。また、カウンター側には、一対の係合片に挿入されるリブだけを設ければよいので、ねじを用いて固定する場合よりも部品点数を削減することができる。
【０００８】
また本発明に係るカウンターの固定構造では、前記一対の係合片は、互いに対向する先端に前記リブを押さえるための先細な保持部を有することも好ましい。
【０００９】
この好ましい態様では、一対の係合片における先端に形成された先細な保持部が、カウンターのリブを押さえ込むので、樹脂製のカウンターにねじれや反りが生じていても、矯正してカウンターを固定することができる。カウンターが矯正された状態でキャビネットに固定されるため、カウンターの側壁部とキャビネットの上端の間に隙間が生じることを抑制することができる。その結果、カウンター付きキャビネットの意匠性を損なわないようにすることができる。
【００１０】
また本発明に係るカウンターの固定構造では、前記受け具は、前記一対の係合片の前記キャビネット上側に対応する上面に、前記リブを前記一対の係合片の間に誘導するガイド面を有することも好ましい。
【００１１】
この好ましい態様では、一対の係合片の上面に、リブを一対の係合片の間に誘導するガイド面を設けている。このため、リブの位置が一対の係合片の間から側壁部と水平な方向にずれていたとしても、一対の係合片の間でリブを確実に挟持することができる。その結果、カウンターの固定作業を容易にすることができる。
【００１２】
また本発明に係るカウンターの固定構造では、前記受け具は金属製であり、前記一対の係合片は、互いに対向する前記保持部から離隔しながら上昇するように延び、前記保持部とは反対側の端部において支持される撓み部を有し、前記撓み部は、前記リブの挿入によって撓み、前記保持部を前記リブに向けて付勢することも好ましい。
【００１３】
この好ましい態様では、一対の係合片は、互いに対向する保持部から離隔しながら上昇するように延び、保持部とは反対側の端部において支持される撓み部を有するので、一対の係合片の間にリブが挿入されると、撓み部が撓んで保持部をリブに押し付けることができる。このため、カウンターをキャビネットへ取付けする際に、キャビネットへの取付け位置がずれていたとしても、一対の係合片でカウンターのリブを確実に押さえ込むことができる。
【００１４】
また本発明に係るカウンターの固定構造では、前記受け具は、前記一対の係合片を前記キャビネットの上端から上方に突出させるように設けられており、前記側壁部の前記天面とは反対側の端部は、前記キャビネットの上端に当接されて固定されることも好ましい。
【００１５】
この好ましい態様では、一対の係合片をキャビネットの上端から上方に突出させており、側壁部の端部がキャビネットの上端に当接されて固定されるので、リブは、側壁部よりも短い長さとすることができる。このようにリブを側壁部よりも外側まで延ばす必要がないので、カウンターを搬送する際に、カウンターのリブが他の部材に衝突して破損することを抑制することができる。
【００１６】
また本発明において、前記側壁部の端部が前記キャビネットの上端に当接され、かつ、前記リブが前記一対の係合片で挟持された状態で、前記一対の係合片は、前記側壁部の内面側に接することも好ましい。
【００１７】
この好ましい態様では、側壁部の底面がキャビネットの上面に当接され、かつ、リブが一対の係合片で挟持された状態で、一対の係合片は側壁部の内面側に接するので、カウンターの左右方向における位置ずれを抑制することができる。
【発明の効果】
【００１８】
本発明によれば、カウンターをキャビネットに固定する場合に、部品点数を削減し、かつ、簡単な作業でカウンターを固定することができるカウンターの固定構造を提供することができる。
【図面の簡単な説明】
【００１９】
【図１】本発明の実施形態に係るカウンターの固定構造を適用した洗面化粧台を示す外観斜視図である。
【図２】図１に示すカウンターの斜視図である。
【図３】図１に示すキャビネットの斜視図である。
【図４】図２に示す受け具の斜視図である。
【図５】図２に示す受け具の正面図である。
【図６】カウンターをキャビネットに組立てる前の状態を示す断面図である。
【図７】カウンターをキャビネットに組立てた後の状態を示す断面図である。
【図８】図６から図７に至る状態において、カウンターのリブが受け具に嵌り込む状態を説明するための図である。
【図９】変形例におけるカウンターの固定構造を用いて、カウンターをキャビネットに組立てる前の状態を示す拡大斜視図である。
【図１０】変形例におけるカウンターの固定構造を用いて、カウンターをキャビネットに組立てた後の状態を示す拡大斜視図である。
【発明を実施するための形態】
【００２０】
以下、添付図面を参照しながら本発明の実施の形態について説明する。説明の理解を容易にするため、各図面において同一の構成要素に対しては可能な限り同一の符号を付して、重複する説明は省略する。
【００２１】
図１は、本発明の実施形態であるカウンターの固定構造を適用して組み立てた洗面化粧台１を示す外観斜視図である。図１において、洗面化粧台１の高さ方向をｚ軸方向としている。このｚ軸に直交する平面に沿ってｘ軸及びｙ軸を定義し、洗面化粧台１の奥行き方向に沿った方向をｙ軸方向とし、洗面化粧台１の幅方向に沿った方向をｘ軸方向としている。図２以降において図中に記載しているｘ軸、ｙ軸、及びｚ軸は、図１におけるｘ軸、ｙ軸、及びｚ軸を基準としている。洗面化粧台１は、カウンター１０と、キャビネット２０と、ミラーキャビネット６０と、を備えている。
【００２２】
キャビネット２０は床上に設置されている。キャビネット２０の上部に、カウンター１０が載置されている。キャビネット２０には、幅方向両端に側板２２が一対設けられている。一対の側板２２及び図示しない中仕切り板に支持されて、扉２１が設けられている。キャビネット２０は、主に木製の板状部材を組み合わせて形成される。
【００２３】
カウンター２０は、天板部１１と、側壁部１２ａ，１２ｂと、洗面ボウル部１４と、バックガード部１６とを有している。側壁部１２ａは、天板部１１の幅方向両端に設けられている。側壁部１２ｂは、天板部１１の前面側端に設けられている。天板部１１は、その上面が天面１１ａとして形成されている。側壁部１２ａ，１２ｂは、天板部１１から天面１１ａとは反対側の第１方向（ｚ軸の負方向）に延びている。洗面ボウル部１４は、一対の天板部１１の間に設けられている。バックガード部１６には、水栓金具４０が取り付けられている。カウンター１０は、樹脂製の材料で形成され、キャビネット２０の上部に載置されるものである。
【００２４】
カウンター１０の上部には、ミラーキャビネット６０が取り付けられている。ミラーキャビネット６０の前面には、３つのミラー付の片開き扉６１が備えられている。ミラーキャビネット６０の内部には空間が形成され、収納空間として利用することができる。
【００２５】
続いて、図２を参照しながら、図１に示すカウンター１０について更に説明する。図２は、図１に示すカウンター１０を裏側から見た斜視図を示している。
【００２６】
図２に示すように、カウンター１０の両端に設けられた側壁部１２ａの裏面１２ａａに、リブ１３ａ，１３ｂが設けられている。リブ１３ａ，リブ１３ｂは、天板部１１の裏面１１ｂから側壁部１２ａの裏面１２ａａに沿って、第１方向であるｚ軸方向に沿って設けられている。
【００２７】
リブ１３ａは、カウンター１０をキャビネット２０に固定するためのリブである。リブ１３ａは、側壁部１２ａよりも短くなるように形成されている。リブ１３ｂは、カウンター１０を補強するためのリブである。リブ１３ｂは、側壁部１２ａと略同等の長さになるように設けられている。本実施形態の場合、リブ１３ａは３つ、リブ１３ｂは２つ、それぞれ設けられているが、この個数は適宜変更可能なものである。
【００２８】
続いて、図３を参照しながら、図１に示すキャビネット２０について説明する。図３は、キャビネット２０の斜視図を示している。キャビネット２０は、扉２１と、側板２２と、裏板２３と、を有する箱状に形成されている。キャビネット２０内の空間は、扉２１によって開閉され、キャビネット２０の内部を収納空間として利用することができる。キャビネット２０における側板２２の上部には、金属材料で形成された受け具２４が取り付けられている。受け具２４は、カウンター１０に設けられたリブ１３ａと略同じ間隔で、複数取付けられている。なお、本実施形態では、受け具２４をキャビネット２０の側板２２に取付けているが、キャビネット２０の幕板や裏板２３に取付けてもよい。
【００２９】
続いて、図４及び図５を参照しながら、キャビネット２０の側板２２に取り付ける受け具２４についてさらに説明する。図４は、受け具２４の斜視図である。図５は、受け具２４の正面図である。
【００３０】
図４及び図５に示すように、受け具２４は、ベース部２４１と、一対の固定突起２４３と、一対の係合片２４ａとを有している。本実施形態の場合、ベース部２４１と、一対の固定突起２４３と、一対の係合片２４ａとは、一枚の金属板を曲げ加工することで形成されている。
【００３１】
ベース部２４１の中央付近には、ネジ穴２４２が一つ設けられている。ベース部２４１の係合片２４ａが設けられている一端とは反対側の他端には、一対の固定突起２４３が設けられている。一対の固定突起２４３は、一対の係合片２４ａがベース部２４１から延びる方向と同じ方向に突出するように設けられている。受け具２４をキャビネット２０に取り付ける際には、一対の固定突起２４３を、側板２２に差し込み、ネジ穴２４２を固定ネジで貫通させて固定する。
【００３２】
係合片２４ａは、一対設けられている。係合片２４ａは、撓み部２４４と、保持部２４５と、上端部２４６と、接続部２４７と、を有している。撓み部２４４と接続部２４７とは、一枚の金属板を上端部２４６において折り曲げた形状をなしている。
【００３３】
接続部２４７は、撓み部２４４とベース部２４１とを繋ぐ位置に設けられている。撓み部２４４は、上端部２４６によって接続部２４７に支持されており、上端部２４６側を支点として撓むように構成されている。
【００３４】
保持部２４５は、撓み部２４４の先端側（上端部２４６とは反対側）に設けられた先細な部分である。このように、一対の係合片２４ａは、互いに対向する保持部２４５から離隔しながら上昇するように延び、保持部２４５とは反対側の端部である上端部２４６において支持される撓み部２４４を有する。撓み部２４４は、リブ１３ａの挿入によって撓み、保持部２４５をリブ１３ａに向けて付勢する。
【００３５】
一対の保持部２４５の間の距離Ｄは、リブ１３ａの厚みよりも小さくなるように設定されている。従って、リブ１３ａが、一対の保持部２４５の間に挿入されると、撓み部２４４が撓んで一対の保持部２４５の間隔を広げ、リブ１３ａを受け入れる。撓み部２４４は弾性変形で撓んでいるので、リブ１３ａが挿入されると、保持部２４５をリブ１３ａに向けて付勢し、保持部２４５がリブ１３ａに食い込むように押し付けられる。
【００３６】
また、一対の撓み部２４４は、保持部２４５側が最も互いに近接し、そこから離隔するように上端部２４６に向かっている。従って、上端部２４６側においては、撓み部２４４は、リブ１３ａの幅よりも広くなるように形成されている。例えば、リブ１３ａを受け具２４に挿入する際に、前後方向に多少ずれがあったとしても、一対の撓み部２４４の間に入り込ませやすくなっている。換言すれば、撓み部２４４は、リブ１３ａを一対の係合片２４の間に誘導するためのガイド面として機能している。
【００３７】
このように受け具２４を構成することで、樹脂製のカウンター１０にねじれや反りが生じていても、矯正してカウンター１０をキャビネット２０に固定することができる。カウンター１０が矯正された状態でキャビネット２０に固定されるため、カウンター１０の側壁部１２とキャビネットの側板２２の間に隙間が生じることを抑制することができる。その結果、カウンター付きキャビネットの意匠性を損なわないようにすることができる。
【００３８】
続いて、図６、図７、及び図８を参照しながらカウンター１０をキャビネット２０に組立てる前後の状態について説明する。図６は、図１のＡ−Ａ断面に相当する部分を示す図であって、カウンター１０をキャビネット２０に組立てる前の状態を示す図である。図７は、図１のＡ−Ａ断面に相当する部分を示す図であって、カウンター１０をキャビネット２０に組立てた後の状態を示す図である。
【００３９】
まず、図６に示すように、カウンター１０のリブ１３ａを、キャビネット２０の受け具２４の上方に位置するように位置決めする。次に、カウンター１０を下降させ、受け具２４に形成された一対の係合片２４ａの上端部２４６間にリブ１３ａを上方から挿入する。そして、図７及び図８に示すように、リブ１３ａを一対の係合片２４ａに挟持させることで、カウンター１０をキャビネット２０に固定する。
【００４０】
このように構成することで、カウンター１０をキャビネット２０に上方から押し付ける作業だけでカウンター１０をキャビネット２０に固定することができるので、ねじやナットを用いた締付作業が不要となる。その結果、作業者がカウンターの下方に移動して上を向いた状態でナットの締付作業をする必要がなくなるので、カウンター１０の固定作業を容易に行うことができる。また、カウンター１０側に設けられる部品は、一対の係合片２５に挿入されるリブ１３だけで構成されるため、ねじを用いて固定する場合よりも部品点数を削減することができる。
【００４１】
また、図８に示すように、受け具２４における一対の係合片２４ａは、キャビネット２０における側板２２の上面２２ｂよりも上方に突出させるように取り付けられている。また、リブ１３ａを一対の係合片２５に係合したときに、カウンター１０における側壁部１２の底面１２ｂは、キャビネット２０における側板２２の上面２２ｂに当接するようになっている。
【００４２】
このように構成することで、リブ１３ａは、キャビネット２０における側板２２の上面２２ｂより上方に位置し、側壁部１２の底面１２ｂは側板２２の上面２２ｂに当接するので、リブ１３ａは、側壁部１２の底面１２ｂより下方に延ばさずに形成することができる。その結果、カウンター１０を搬送する際に、カウンター１０のリブ１３ａが他の部材に衝突して破損することを抑制することができる。
【００４３】
図９及び図１０は、変形例としてのカウンターの固定構造を示す拡大斜視図である。図９は、カウンター１０をキャビネット２０に組立てる前の状態を示す拡大斜視図であり、図１０は、カウンター１０をキャビネット２０に組立てた後の状態を示す拡大斜視図である。
【００４４】
図９に示すように、キャビネット２０における側板２２に一対の係合片７０が設けられている。一対の係合片７０には、ガイド部７１、エッジ７２（保持部）、回動部材７３が形成されている。カウンター１０における天板部１１、側壁部１２、リブ１３ａの構成は、上述した実施形態の構成と同一である。
【００４５】
ガイド部７１は、例えばｚ軸の負方向に、かつ、ｙ軸の正方向又は負方向に向かって傾斜する傾斜面を有しているため、上方から挿入されるリブ１３ａを一対の係合片７０の間に誘導することができる。このように構成することで、リブ１３ａを挿入する位置が、一対の係合片７０の間からｙ軸方向にずれていたとしても、一対の係合片７０でリブ１３ａを確実に挟持することができる。その結果、カウンター１０の固定作業を容易にすることができる。
【００４６】
エッジ７２（保持部）は、一対の係合片７０の先端に形成され、リブ１３ａを一対の係合片７０の間に挿入したときに、リブ１３ａを押さえ込むことができるように形成されている。エッジ７２の形状は、リブ１３ａの表面に噛み込むことができるような先細な形状である。このように構成することで、樹脂製のカウンター１０にねじれや反りが生じていても、矯正してカウンター１０をキャビネット２０に固定することができる。
【００４７】
回動部材７３は、一対の係合片７０をキャビネット２０の側板２２に取付け、一対の係合片７０を回動可能な状態で支持している。回動部材７３により、一対の係合片７０は回動部材７３を中心として回動するように形成されている。
【００４８】
図１０に示すように、一対の係合片７０の間にリブ１３ａが上方から挿入されると、一対の係合片７０は回動部材７３を中心として回動し、一対の係合片７０の間でリブ１３ａを挟持することができる。このように構成することで、カウンター１０を上から押し付けるだけの作業でキャビネット２０にカウンター１０を固定することができる。このため、ねじやナットを用いた締付作業が不要となるので、カウンター１０の固定作業を容易に行うことができる。また、カウンター１０側に設けられる部品は、一対の係合片２４ａに挿入されるリブ１３ａだけで構成されるため、ねじを用いて固定する場合よりも部品点数を削減することができる。
【００４９】
なお、本実施形態では、カウンターの固定構造を洗面化粧台１に適用する場合を例に説明したが、本発明を実施する形態はこれに限定されるものではなく、流し台やその他の家具にも適用することができる。
【符号の説明】
【００５０】
１：洗面化粧台
１０：カウンター
１１：天板部
１２：側壁部
１３ａ，１３ｂ：リブ
１４：洗面ボウル部
１６：バックガード部
２０：キャビネット
２１：扉
２２：側板
２３：裏板
２４：受け具
２４ａ：係合片
２４１：ベース部
２４３：固定突起
２４４：撓み部
２４５：保持部
４０：水栓
６０：ミラーキャビネット
６１：扉
【図１】
2014188197.tif 000003
【図２】
2014188197.tif 000004
【図３】
2014188197.tif 000005
【図４】
2014188197.tif 000006
【図５】
2014188197.tif 000007
【図６】
2014188197.tif 000008
【図７】
2014188197.tif 000009
【図８】
2014188197.tif 000010
【図９】
2014188197.tif 000011
【図１０】
2014188197.tif 000012